(57)【要約】【課題】表示された画像に対応する単語を効果的に学習できる画像表示制御装置を提供する。【解決手段】画像表示制御装置は、単語画像取得手段と、画像表示制御手段と、画像指定手段と、画像単語判断手段と、を備える。単語画像取得手段は、いずれかの単語の末尾の文字が他のいずれかの単語の先頭の文字と同じ文字である各単語と、前記各単語に対応する各画像とを取得する。画像表示制御手段は、表示画面中に複数の前記画像を表示させる。画像指定手段は、ユーザ操作に応じて、前記表示画面中の何れかの画像を指定する。画像単語判断手段は、前記表示された複数の画像のうちの２つの画像が、前記画像指定手段により指定されると、当該指定された２つの画像に対応づけられた各単語の一方の単語の末尾の文字が他方の単語の先頭の文字と同じ文字であるか否かを判断する。【選択図】図２
2018049186.tif 000002
【特許請求の範囲】
【請求項１】
いずれかの単語の末尾の文字が他のいずれかの単語の先頭の文字と同じ文字である各単語と、前記各単語に対応する各画像とを取得する単語画像取得手段と、
表示画面中に複数の前記画像を表示させる画像表示制御手段と、
ユーザ操作に応じて、前記表示画面中の何れかの画像を指定する画像指定手段と、
前記表示された複数の画像のうちの２つの画像が、前記画像指定手段により指定されると、当該指定された２つの画像に対応づけられた各単語の一方の単語の末尾の文字が他方の単語の先頭の文字と同じ文字であるか否かを判断する画像単語判断手段と、
を備える画像表示制御装置。
【請求項２】
前記画像単語判断手段により、前記指定された２つの画像に対応づけられた各単語の一方の単語の末尾の文字が他方の単語の先頭の文字と同じ文字であると判断された場合に、
前記２つの画像に対応づけられた各単語の何れか又は両方を表示させる画像単語表示制御手段を備える、
請求項１に記載の画像表示制御装置。
【請求項３】
前記画像単語判断手段により、前記指定された２つの画像に対応づけられた各単語の一方の単語の末尾の文字が他方の単語の先頭の文字と同じ文字であると判断された場合に、
前記２つの画像を識別表示させる画像識別表示手段を備える、
請求項１又は２に記載の画像表示制御装置。
【請求項４】
前記画像表示制御手段は、前記複数の画像のうち、一方の画像に対応づけられた単語の末尾の文字が他方の画像に対応づけられた単語の先頭の文字と同じ文字である、２つの画像の間に、指定位置を離さずに前記一方の画像から前記他方の画像まで移動可能に連結する通路を有する迷路を表示する移動可能迷路表示制御手段を備え、
ユーザ操作に応じて、前記画像指定手段により指定位置を離さずに、当該迷路の前記２つの画像の間を連結する通路を移動することにより前記表示された複数の画像のうちの２つの画像が指定される、
請求項３に記載の画像表示制御装置。
【請求項５】
前記画像表示制御手段は、前記複数の画像のうちの２つの画像に対応づけられた各単語が、一方の単語の末尾の文字が他方の単語の先頭の文字と同じ文字とならない場合に、当該２つの画像の間に、指定位置を離さずに前記一方の画像から前記他方の画像まで移動可能に連結する通路を有しない迷路を表示する移動不可能迷路表示制御手段を備える、
請求項３又は４に記載の画像表示制御装置。
【請求項６】
単語と画像とを取得する単語画像取得手段と、
表示画面中に前記画像を表示させる画像表示制御手段と、
前記画像中の各位置に、前記単語の各文字位置を設定する文字位置設定手段と、
ユーザ操作に応じて、前記画像中の位置を指定する位置指定手段と、
前記位置指定手段により前記画像中の位置が指定されると、当該指定された位置が、前記文字位置設定手段により設定されたいずれかの文字位置であるか否かを判断する文字位置判断手段と、
前記文字位置判断手段により、前記指定された位置が前記いずれかの文字位置であると判断された場合に、当該文字位置に対応する文字を表示させる文字表示制御手段と、
を備える画像表示制御装置。
【請求項７】
前記画像表示制御手段は、前記画像中に、指定位置を離さずに前記単語の文字の並び順に各文字の文字位置に移動可能な通路を有する迷路を表示する文字順迷路表示制御手段を備え、
前記文字位置判断手段は、ユーザ操作に応じて前記位置指定手段により指定位置を離さずに、当該迷路の通路を移動することに応じて、前記いずれかの文字位置であるか否かを判断する、
請求項６に記載の画像表示制御装置。
【請求項８】
前記文字位置設定手段は、前記単語のうちの特定文字に対応する文字位置を、前記通路の位置のうち最短の経路とは異なる位置に設定する特定文字位置設定手段を備える、
請求項７に記載の画像表示制御装置。
【請求項９】
前記表示画面を備える表示手段を備える、
請求項１乃至８のうち何れか１項に記載の画像表示制御装置。
【請求項１０】
いずれかの単語の末尾の文字が他のいずれかの単語の先頭の文字と同じ文字である各単語と、前記各単語に対応する各画像とを取得し、
表示画面中に複数の前記画像を表示させ、
ユーザ操作に応じて、前記表示画面中の何れかの画像を指定し、
前記表示された複数の画像のうちの２つの画像が指定されると、当該指定された２つの画像に対応づけられた各単語の一方の単語の末尾の文字が他方の単語の先頭の文字と同じ文字であるか否かを判断する、
画像表示方法。
【請求項１１】
コンピュータを、
いずれかの単語の末尾の文字が他のいずれかの単語の先頭の文字と同じ文字である各単語と、前記各単語に対応する各画像とを取得する単語画像取得手段、
表示画面中に複数の前記画像を表示させる画像表示制御手段、
ユーザ操作に応じて、前記表示画面中の何れかの画像を指定する画像指定手段、
前記表示された複数の画像のうちの２つの画像が、前記画像指定手段により指定されると、当該指定された２つの画像に対応づけられた各単語の一方の単語の末尾の文字が他方の単語の先頭の文字と同じ文字であるか否かを判断する画像単語判断手段、
として機能させるためのコンピュータ読み込み可能なプログラム。
【請求項１２】
単語と画像とを取得し、
表示画面中に前記画像を表示させ、
前記画像中の各位置に、前記単語の各文字位置を設定し、
ユーザ操作に応じて、前記画像中の位置を指定し、
前記画像中の位置が指定されると、当該指定された位置が、前記設定されたいずれかの文字位置であるか否かを判断し、
前記指定された位置が前記いずれかの文字位置であると判断された場合に、当該文字位置に対応する文字を表示させる、
画像表示方法。
【請求項１３】
コンピュータを、
単語と画像とを取得する単語画像取得手段、
表示画面中に前記画像を表示させる画像表示制御手段、
前記画像中の各位置に、前記単語の各文字位置を設定する文字位置設定手段、
ユーザ操作に応じて、前記画像中の位置を指定する位置指定手段、
前記位置指定手段により前記画像中の位置が指定されると、当該指定された位置が、前記文字位置設定手段により設定されたいずれかの文字位置であるか否かを判断する文字位置判断手段、
前記文字位置判断手段により、前記指定された位置が前記いずれかの文字位置であると判断された場合に、当該文字位置に対応する文字を表示させる文字表示制御手段と、
として機能させるためのコンピュータ読み込み可能なプログラム。
【発明の詳細な説明】
【技術分野】
【０００１】
本発明は、画像表示制御装置、画像表示方法、及びプログラムに関する。
【背景技術】
【０００２】
情報端末を用いた例えば幼児向けの学習教材が知られている。このような学習教材には、迷路ゲームや、動物などの画像を表示してその単語を学習できるものがある。例えば特許文献１には、迷路を自動で生成する迷路自動生成方法に係る技術が開示されている。しかし動物などの画像を複数表示して、ユーザによる指定操作に応じて、複数の画像についての単語を関連づけて学習できるものは、従来無かった。またユーザによる指定操作に応じて、迷路中の経路を移動して単語を学習できるものは無かった。
【先行技術文献】
【特許文献】
【０００３】
【特許文献１】特開２００１−９６０６７号公報
【発明の概要】
【発明が解決しようとする課題】
【０００４】
本発明は、表示された画像に対応する単語を効果的に学習できる画像表示制御装置、画像表示方法、及びプログラムを提供することを目的とする。
【課題を解決するための手段】
【０００５】
本発明の一態様によれば、画像表示制御装置は、いずれかの単語の末尾の文字が他のいずれかの単語の先頭の文字と同じ文字である各単語と、前記各単語に対応する各画像とを取得する単語画像取得手段と、表示画面中に複数の前記画像を表示させる画像表示制御手段と、ユーザ操作に応じて、前記表示画面中の何れかの画像を指定する画像指定手段と、前記表示された複数の画像のうちの２つの画像が、前記画像指定手段により指定されると、当該指定された２つの画像に対応づけられた各単語の一方の単語の末尾の文字が他方の単語の先頭の文字と同じ文字であるか否かを判断する画像単語判断手段とを備える。
【０００６】
本発明の一態様によれば、画像表示制御装置は、単語と画像とを取得する単語画像取得手段と、表示画面中に前記画像を表示させる画像表示制御手段と、前記画像中の各位置に、前記単語の各文字位置を設定する文字位置設定手段と、ユーザ操作に応じて、前記画像中の位置を指定する位置指定手段と、前記位置指定手段により前記画像中の位置が指定されると、当該指定された位置が、前記文字位置設定手段により設定されたいずれかの文字位置であるか否かを判断する文字位置判断手段と、前記文字位置判断手段により、前記指定された位置が前記いずれかの文字位置であると判断された場合に、当該文字位置に対応する文字を表示させる文字表示制御手段とを備える。
【発明の効果】
【０００７】
本発明によれば、表示された画像に対応する単語を効果的に学習できる。
【図面の簡単な説明】
【０００８】
【図１】図１は、一実施形態に係る情報端末の構成例の概略を示すブロック図である。
【図２】図２は、一実施形態に係る情報端末の機能構成例の概略を示す機能ブロック図である。
【図３】図３は、第１の実施形態に係る情報端末の処理の一例を示すフローチャートである。
【図４】図４は、第１の実施形態に係る選択画面を含む表示画面の一例を示す図である。
【図５】図５は、第１の実施形態に係る複数の画像を含む表示画面の一例を示す図である。
【図６】図６は、第１の実施形態に係る複数の画像を含む表示画面の一例を示す図である。
【図７Ａ】図７Ａは、第２の実施形態に係る情報端末の処理の一例を示すフローチャートである。
【図７Ｂ】図７Ｂは、第２の実施形態に係る情報端末の処理の一例を示すフローチャートである。
【図８】図８は、第２の実施形態に係る選択画面を含む表示画面の一例を示す図である。
【図９】図９は、第２の実施形態に係る複数の画像及び迷路を含む表示画面の一例を示す図である。
【図１０】図１０は、第２の実施形態に係る複数の画像及び迷路を含む表示画面の一例を示す図である。
【図１１】図１１は、第２の実施形態に係る複数の画像及び迷路と説明文とを含む表示画面の一例を示す図である。
【図１２】図１２は、第２の実施形態に係るゴールした場面における表示画面の一例を示す図である。
【図１３】図１３は、第２の実施形態に係る誤り画像がある場合のゴールした場面における表示画面の一例を示す図である。
【図１４】図１４は、第３の実施形態に係る情報端末の処理の一例を示すフローチャートである。
【図１５】図１５は、第３の実施形態に係る複数の迷路を含む表示画面の一例を示す図である。
【図１６】図１６は、第３の実施形態に係る迷路処理の一例を示すフローチャートである。
【図１７】図１７は、第３の実施形態に係る第１の迷路の一例を示す図である。
【図１８】図１８は、第３の実施形態に係る第１の迷路の一例を示す図である。
【図１９】図１９は、第３の実施形態に係る第２の迷路の一例を示す図である。
【図２０】図２０は、第３の実施形態に係る第３の迷路の一例を示す図である。
【図２１】図２１は、第３の実施形態に係る第４の迷路の一例を示す図である。
【発明を実施するための形態】
【０００９】
［装置の構成］
本発明の一実施形態に係る画像表示制御装置である情報端末１の構成例について説明する。図１は、画像表示制御装置である情報端末１の構成例の概略を示す。画像表示制御装置（情報端末）１は、例えば、タブレット端末、スマートフォン、電子辞書、ゲーム機、パーソナルコンピュータ等の電子機器である。
【００１０】
図１に示すように、画像表示制御装置である情報端末１は、ＣＰＵ（Central Processing Unit）１０と、ＲＡＭ（Random Access Memory）２２と、ＲＯＭ（Read Only Memory）２４と、入力ボタン３２と、タッチパネル３４と、表示装置４０と、記録媒体インターフェース（Ｉ／Ｆ）５２と、通信装置５４とを有する。これらは、バスライン６０を介して互いに接続されている。なおＲＯＭ２４に替えて読み出し書き込み可能なフラッシュメモリ２４’を搭載するようにしても良い。またＲＯＭ２４（フラッシュメモリ２４’）には、予めしりとり単語（単語の末尾の文字が他のいずれかの単語の先頭の文字と同じ文字である一連の各単語）と、前記各単語に対応するしりとり単語の各画像とを記憶しておき、ＣＰＵが、ＲＯＭ２４（フラッシュメモリ２４’）からしりとり単語としりとり画像とを読み出して取得するようにしても良い。
【００１１】
ＣＰＵ１０は、各種演算を行い、情報端末１の動作を制御する。ＲＡＭ２２は、メインメモリとして機能し、ＣＰＵ１０の演算等に必要なデータ等を一時的に記憶する。ＲＯＭ２４は、ＣＰＵ１０の演算等に用いられるプログラム及び各種データ等を記憶する。
【００１２】
表示装置４０は、各種画像を表示する。表示装置４０は、例えば液晶表示パネル等の表示素子を含む。入力ボタン３２は、ユーザによる各種入力を受け付ける。入力ボタン３２は、カーソルキー、キーボード等を含んでいてもよい。カーソルキーにより表示装置４０の表示画面内の位置を指定することができる。タッチパネル３４は、ユーザによる各種入力を受け付ける。タッチパネル３４は、例えば表示装置４０の上に配置されて、表示装置４０と一体としてユーザからのタッチ入力を受け付けて、表示装置４０の表示画面内の位置を指定することができる。
【００１３】
記録媒体Ｉ／Ｆ５２には、記録媒体７０が着脱自在に接続される。記録媒体７０には、各種情報が記録される。情報端末１は、記録媒体Ｉ／Ｆ５２を介して、記録媒体７０に記録された情報を取得したり、記録媒体７０に情報を記録したりする。通信装置５４は、情報端末１の外部と接続する。通信装置５４は、例えば無線又は有線でインターネットに接続する。情報端末１は、通信装置５４を介して、情報端末１の外部から情報を取得し、また、情報端末１の外部に向けて情報を出力する。
【００１４】
図２は、情報端末１の機能ブロックを示す。図２に示すように、情報端末１は、情報端末制御装置としての制御部１００の機能と、記録部２００としての機能とを有する。制御部１００は、ＣＰＵ１０、ＲＡＭ２２、ＲＯＭ２４等により実現される。記録部２００は、ＲＡＭ２２、ＲＯＭ２４、記録媒体７０等により実現される。また、情報端末１は、入力ボタン３２及びタッチパネル３４等を含む入力装置３０と、表示装置４０と、通信装置５４とを備える。
【００１５】
制御部１００は、単語画像取得部１０１と、画像表示制御部１０２と、文字表示制御部１０３と、指定位置取得部１０４と、判定部１０５と、迷路取得部１０６と、位置設定部１０７としての機能を有する。
【００１６】
単語画像取得部１０１は、単語及び画像に係る情報をネットワークを介したサーバまたはＲＯＭ２４（フラッシュメモリ２４’）から読み出して取得する。ここで、単語と画像とは対になっており、単語は画像の意味を表す。単語画像取得部１０１は、単語と画像との組み合わせを複数取得してもよい。単語画像取得部１０１は、例えばしりとりを構成するような複数の単語を取得する。すなわち、一の単語の末尾の文字が他の単語の先頭の文字と同一となるような複数の単語が取得される。ただし一連の単語がしりとりを構成する単語である必要はなく、いずれかの単語は、しりとりでない単語であってもよい。
【００１７】
画像表示制御部１０２は、表示画面中に画像や迷路を表示させるように、表示装置４０を制御する。文字表示制御部１０３は、表示画面中に単語や文字を表示させるように、表示装置４０を制御する。
【００１８】
指定位置取得部１０４は、例えばタッチパネル３４や入力ボタン３２のカーソルキー等への入力に基づいて、表示画面中においてユーザが指定した指定位置を取得する。
【００１９】
判定部１０５は、各種判定を行う。例えば後述する第１の実施形態及び第２の実施形態では、判定部１０５は、指定位置取得部１０４が取得した指定位置に基づいて、しりとりを構成する２つの単語に対応する２つの画像が対応付けられるような画像連結操作がされたか否かを判定する。画像連結操作がされたとき、文字表示制御部１０３は、画像に対応する単語を表示画面中に表示させてもよい。また、例えば後述する第３の実施形態では、判定部１０５は、指定位置取得部１０４が取得した指定位置が、画像中に設定された文字位置と一致したか否かを判定する。一致したとき、文字表示制御部１０３は、文字位置に文字を表示させてもよい。ここで表示される文字は、例えば画像に対応した単語を構成する文字である。また、例えば第３の実施形態では、判定部１０５は、指定位置に基づいて、ユーザが迷路を解いたか否かを判定する。迷路が解かれたとき、文字表示制御部１０３は、迷路に対応する単語を表示画面中に表示させてもよい。
【００２０】
迷路取得部１０６は、迷路に関する情報を取得する。例えば第２の実施形態では、迷路取得部１０６は、単語画像取得部１０１が取得した画像と画像との間に表示する迷路を取得する。また、例えば第３の実施形態では、迷路取得部１０６は、画像内に含まれるように構成される迷路に係る情報を取得する。迷路取得部１０６は、予め用意された迷路のデータを読込んでもよいし、所定の方式に従って迷路を作成してもよい。
【００２１】
位置設定部１０７は、各種位置を設定する。例えば第１の実施形態では、位置設定部１０７は、画像を表示させる位置を設定する。例えば第２の実施形態では、位置設定部１０７は、画像と迷路との位置を設定する。例えば第３の実施形態では、位置設定部１０７は、上述の文字位置を設定する。
【００２２】
［装置の動作］
〈第１の実施形態〉
第１の実施形態に係る情報端末１の動作について説明する。第１の実施形態では、表示画面中に、複数の画像が表示される。画像が表す単語はしりとりを構成するように選択される。すなわち、一の単語の末尾の文字が他の単語の先頭の文字と同一となるような単語を表す複数の画像が表示画面中に表示される。ユーザが情報端末１に対してしりとりを構成する単語に対応する複数の画像を指定した（実施例では結びつけるような画像連結操作を行った）とき、指定された（結びつけられた）複数画像の近傍に、当該画像に対応する単語が表示される。
【００２３】
図３のフローチャートは、情報端末１の動作の概要を示す。ステップＳ１０１において、制御部１００は、表示画像の数、すなわち、単語の数を取得する。図４は、表示装置４０に表示される表示画面６１０の一例を示す。制御部１００は、表示装置４０を制御して、表示画面６１０内に選択画面６１５を表示させる。この選択画面６１５は、表示画像の数のリストを含む。選択画面６１５は、ユーザが例えばタッチパネル３４を用いてタッチ入力することで、表示画像の数を入力することができるように構成されている。図４に示す選択画面６１５では、「３枚」が選択されている。制御部１００は、ユーザによるタッチ入力を検出することで、ユーザが選択した表示画像の数を取得する。
【００２４】
ステップＳ１０２において、制御部１００の単語画像取得手段として機能する単語画像取得部１０１は、記録部２００に記録された複数の画像と単語との組み合わせの中から、ステップＳ１０１で指定された数の画像と単語との組み合わせを取得する。ここで、制御部１００は、取得する複数の単語がしりとりでつながるように、単語を選択する。例えば、制御部１００は、多数の単語を含む単語群の中から、ランダムに１つの単語を選択する。制御部１００は、単語群に含まれる単語のうちしりとりでつながる複数の単語を抽出し、そのうちの１つをランダムに選択する。このようにして、しりとりでつながる単語が指定された数だけ選択される。単語は、その他の方法によって選択されてもよい。なお、ここで取得する画像と単語とは、記録部２００から取得するに限らず、例えば通信装置５４を介して接続されたインターネット上の何れかのサーバ等から取得してもよい。
【００２５】
ステップＳ１０３において、制御部１００の位置設定部１０７は、取得した画像を表示する位置を決定する。表示位置は、表示画像の数に応じて予め決められていてもよいし、所定の規則に従ってその都度決められてもよい。制御部１００の画像表示制御手段として機能する画像表示制御部１０２は、決定した位置に取得した画像を表示するように、表示装置４０を制御する。表示装置４０に表示される表示画面６２０の一例を図５に示す。この図に示すように、表示画面６２０は、「ピラニア」を示す第１の画像６２１と、「アメリカザリガニ」を示す第２の画像６２２と、「にほんざる」を示す第３の画像６２３とを含む。このように、「ピラニア」、「アメリカザリガニ」及び「にほんざる」という単語は、しりとりを構成する。制御部１００は、表示装置４０に、第１の画像６２１の近傍に、「ピラニア」の単語６２６を表示させる。
【００２６】
ステップＳ１０４において、制御部１００の画像指定手段として機能する指定位置取得部１０４は、タッチパネル３４からユーザによってタッチされた位置、すなわち、指定位置を取得する。
【００２７】
ステップＳ１０５において、制御部１００は、表示装置４０に、指定位置を表す表示をユーザが入力した最新の指定位置に更新させる。また、制御部１００は、以前に入力されていた指定位置と更新後の指定位置とを結ぶ線を、表示装置４０に表示させる。その結果、例えば図６に示すように、スタイラスペン６３０で指し示した指定位置の経路が線６２９として表示装置４０に表示される。位置を指定するのは、スタイラスペンに限らず、指等でもよいことはもちろんである。
【００２８】
ステップＳ１０６において、制御部１００の画像単語判断手段として機能する判定部１０５は、指定位置がしりとりが成立する正しい画像の位置であるか否かを判定する。つまり前記指定された２つの画像に対応づけられた各単語の一方の単語の末尾の文字が他方の単語の先頭の文字と同じ文字であるか否かを判断して同じ文字である場合に、当該指定位置がしりとりが成立する正しい画像の位置であると判断される。指定位置が正しい画像の位置でないとき、処理はステップＳ１０４に戻る。すなわち、指定位置の表示が更新される。一方、指定位置が正しい画像の位置であると判定されたとき、処理はステップＳ１０７に進む。このように、しりとりを構成する２つの画像を線で結ぶような操作が行われたとき、画像連結操作が行われたとして処理はステップＳ１０７に進む。
【００２９】
ステップＳ１０７において、制御部１００の画像単語表示制御手段及び画像識別表示手段として機能する文字表示制御部１０３は、表示装置４０に、しりとりが成立する画像の近くに、その画像に対応する単語を表示させる。例えば、図６に示すように、指定位置が「ピラニア」の第１の画像６２１から「アメリカザリガニ」の第２の画像６２２まで移動したとき（又は順に「ピラニア」の第１の画像６２１と「アメリカザリガニ」の第２の画像６２２が指定される）、第２の画像の近傍に「アメリカザリガニ」という単語６２７が表示される。「ピラニア」が予め表示されており「アメリカザリガニ」が新たに表示される例を示したが、予め表示されている単語と新たに表示される単語との組み合わせは任意である。しりとりを構成する画像のうち何れに係る単語が表示されてもよいし、両方の単語が表示されていない状態から両方の単語が表示されてもよい。
【００３０】
ステップＳ１０８において、制御部１００は、次の画像があるか否かを判定する。次の画像があるとき、処理はステップＳ１０４に戻る。一方、次の画像がないとき、本処理は終了する。例えば、図６に示した状態では、「にほんざる」の第３の画像６２３が次の画像として存在するので、処理はステップＳ１０４に戻る。以降、上述と同様に指定位置が取得され、指定位置が第２の画像６２２から第３の画像６２３に移動したとき、「にほんざる」の単語が第３の画像６２３の近傍に表示され、処理が終了する。
【００３１】
本実施形態によれば、例えば子ども等のユーザは、情報端末１を用いて、しりとりを楽しんだり、しりとりをしながら単語を覚えたりすることができる。その際、例えば親などが、問題を作成するなどの手間をかける必要がない。毎回異なる問題が作成されるため、ユーザは繰り返し楽しむことができる。その結果、高い学習効果が得られる。
【００３２】
なお、上述の実施形態では、画像連結操作として２つの画像を線で結ぶ場合を例として示したが、２つの画像を順にタッチする等、他の操作を画像連結操作としてもよい。
【００３３】
また、上述の実施形態では、ユーザがタッチパネル３４を用いて各種入力を行う例を示したが、これに限らない。キーボードやマウス等の各種の入力装置３０を用いて入力が行われてもよい。
【００３４】
〈第２の実施形態〉
第２の実施形態について説明する。ここでは、第１の実施形態との相違点について説明し、同一の部分については、同一の符号を付してその説明を省略する。本実施形態では、第１の実施形態における画像と画像との間に、迷路が設けられる。迷路の入口付近に１つの画像が配置され、迷路の出口付近に他の画像が配置される。このとき、迷路を解くことが、第１の実施形態における２つの画像を結びつける画像連結操作に相当することになる。
【００３５】
本実施形態に係る情報端末１の動作について説明する。図７Ａ及び図７Ｂのフローチャートは、情報端末１の動作の概要を示す。図８は、表示装置４０に表示される表示画面７１０の一例を示す。図８は、例えば情報端末１が百科事典としての機能を実行しているときの表示例を示す。図８に示すように、表示画面７１０に表示された「迷路」を示すアイコン７１３が選択されたとき、図７Ａ及び図７Ｂに示す処理は開始する。
【００３６】
ステップＳ２０１において、制御部１００は、表示画像の数、すなわち、単語の数を取得する。制御部１００は、表示装置４０に、表示画面７１０内に選択画面７１５を表示させる。この選択画面７１５は、表示画像の数のリストを含む。選択画面７１５は、ユーザがタッチパネル３４を用いてタッチ入力することで、表示画像の数を入力することができるように構成されている。図８に示す選択画面７１５では、「３枚」が選択されている。制御部１００は、ユーザによるタッチ入力を検出することで、ユーザが選択した表示画像の数を取得する。
【００３７】
ステップＳ２０２において、制御部１００は、記録部２００に記録された複数の画像と単語との組み合わせの中から、ステップＳ２０１で指定された数の画像と単語との組み合わせを取得する。ここで、制御部１００は、取得する複数の単語がしりとりでつながる（つまり各単語の一方の単語の末尾の文字が他方の単語の先頭の文字と同じ文字である）ように、単語を選択する。
【００３８】
ステップＳ２０３において、制御部１００は、しりとりでつながらない単語（つまり当該単語の先頭の文字が、取得済み一連の単語の末尾の文字でない単語であって、かつ、一連の各単語の先頭の文字が当該単語の末尾の文字でない単語）を含めるか否かを判定する。しりとりでつながらない単語を含めないとき、処理はステップＳ２０５に進む。一方、しりとりでつながらない単語を含めるとき、処理はステップＳ２０４に進む。ステップＳ２０４において、制御部１００は、記録部２００から、さらに画像と単語との組み合わせを取得する。ここで取得される単語は、他の単語としりとりでつながらない単語である。その後、処理はステップＳ２０５に進む。例えばユーザが所定回数より多くの本処理に係るしりとり及び迷路を実施したとき、しりとりでつながらない単語を含めるというオプションが実施されてもよい。また、ユーザの希望によって、しりとりできない単語を含めるというオプションが実施されてもよい。しりとりでつながらない単語を含めることで、ユーザは変化を楽しむことができる。
【００３９】
ステップＳ２０５において、制御部１００の位置設定部１０７は、取得した画像及び迷路を表示する位置を決定する。ここで、しりとりでつながる単語を示す一組の画像が、迷路の入口と出口に配置されるような位置に、画像及び迷路は配置される。制御部１００の画像表示制御手段として機能する画像表示制御部１０２は、決定した位置に取得した画像を表示するように、表示装置４０の表示を制御する。さらに、制御部１００の迷路取得部１０６は、迷路を作成する。制御部１００の移動可能迷路表示制御手段として機能する画像表示制御部１０２は、作成した迷路をしりとりでつながる画像と画像との間に表示するように、表示装置４０の表示を制御する。さらに、制御部１００は、１つ目の迷路の開始位置を表示装置４０に表示させる。ここで、ステップＳ２０４でしりとりできない単語が含まれているとき、当該単語に対応する画像が最後の迷路の近傍に配置される。そしてこの画像の近傍には迷路の出口が設けられるが、この出口は当該迷路の入り口とつながらないように、最後の迷路は作成される。迷路は、その都度生成されてもよいし、予め用意されており、その中から選択されてもよい。
【００４０】
表示装置４０に表示される画面の一例を図９に示す。この図に示すように、表示画面７２０は、第１の迷路７２１と第２の迷路７２２と第３の迷路７２３とを含む。第１の迷路７２１の出口付近であって、第１の迷路７２１と第２の迷路７２２との間には、ピラニアを示す第１の画像７２４が配置されている。第２の迷路７２２の出口付近であって、第２の迷路７２２と第３の迷路７２３との間には、アメリカザリガニを示す第２の画像７２５が配置されている。第３の迷路７２３の出口付近には、にほんざるを示す第３の画像７２６が配置されている。第１の迷路７２１の開始位置には、第１の開始位置７３１が示される。言い換えると、第１の画像７２４と第２の画像７２５との間に第２の迷路７２２が配置され、第２の画像７２５と第３の画像７２６との間に第３の迷路７２３が配置される。
【００４１】
なお、第２の迷路７２２は、単語「ピラニア」に対応づけられた第１の画像７２４と、単語「アメリカザリガニ」に対応づけられた第２の画像７２５は、一方の画像に対応づけられた単語「ピラニア」の末尾の文字「ア」が他方の画像に対応づけられた単語「アメリカザリガニ」の先頭の文字「ア」と同じ文字であり、第１の画像７２４と第２の画像７２５の間に、指定位置を離さずに前記一方の画像から前記他方の画像まで移動可能に連結する通路を有する迷路となっている。ここで迷路内の線で区切られた空白の領域が移動可能に連結する通路となっている。
【００４２】
ステップＳ２０６において、制御部１００は、表示装置４０に、指定位置を表示させる。ここで指定位置は、タッチパネル３４を用いてユーザによって指定される位置である。この場合、初期位置として、指定位置が迷路の開始位置すなわち入口に設定される。例えば第１の迷路７２１については、第１の開始位置７３１に指定位置が表示される。
【００４３】
ステップＳ２０７において、制御部１００は、タッチパネル３４からユーザによってタッチされた位置、すなわち、指定位置を取得する。ステップＳ２０８において、制御部１００は、取得された指定位置が迷路との関係で移動可能位置であるか否かを判定する。例えば迷路の壁を横切るように指定位置が変化したとき、移動可能な位置ではないと判定される。一方、例えば迷路の通路を通るように指定位置が変化したとき、移動可能な位置であると判定される。ステップＳ２０８において、指定位置は移動可能位置であると判定されたとき、処理はステップＳ２０９に進む。ステップＳ２０９において、制御部１００は、指定位置の表示をユーザが入力した指定位置に更新する。また、制御部１００は、以前に入力されていた指定位置と更新後の指定位置とを結ぶ線を、表示装置４０に表示させる。ステップＳ２１０において、制御部１００は、指定位置が迷路の終了位置すなわち出口であるか否かを判定する。指定位置が終了位置でないとき、処理はステップＳ２０７に戻る。
【００４４】
ステップＳ２０８において、指定位置は移動可能でないと判定されたとき、処理はステップＳ２１１に進む。ステップＳ２１１において、制御部１００は、ユーザが入力した指定位置に関わらず、表示装置４０に表示された指定位置を更新せずに指定位置表示を維持する。その後、処理はステップＳ２０７に戻る。
【００４５】
ステップＳ２０７乃至ステップＳ２１１の繰り返し処理によって、ユーザが迷路内の通路を進むように入力を行ったとき、その経路が線として迷路の画像中に表示される。
【００４６】
ステップＳ２１０の判定によって、指定位置が迷路の終了位置すなわち出口であると判定されたとき、処理はステップＳ２１２に進む。ステップＳ２１２において、制御部１００は、表示装置４０に、当該出口に対応して表示された画像の近くに、その画像に対応する単語を表示させる。このように、指定位置が迷路の開始位置から終了位置まで移動したとき、単語が表示されることになる。
【００４７】
例えば、図１０に示すように、スタイラスペンで指し示した指定位置が第１の迷路７２１の出口に達したとき、第１の画像７２４の近傍に、第１の画像７２４に対応した「ピラニア」という第１の単語７３４が表示される。また、このとき、第１の迷路７２１の出口を示す第１の終了位置７３３が表示される。
【００４８】
ステップＳ２１３において、制御部１００は、次の迷路があるか否かを判定する。例えば第１の迷路の出口に達したときには、次の第２の迷路があるので、次の迷路があると判定される。次の迷路があるとき、処理はステップＳ２１４に進む。ステップＳ２１４において、制御部１００は、表示装置４０に、次の迷路の開始位置を表示させる。
【００４９】
例えば図１０に示すように、第１の迷路７２１の出口に達したとき、次の第２の迷路７２２があるので、第２の迷路７２２の第２の開始位置７３７が表示される。
【００５０】
ステップＳ２１５において、制御部１００は、タッチパネル３４から、ユーザが入力した指定位置を取得する。ステップＳ２１６において、制御部１００は、取得した指定位置が表示された単語の位置であるか否かを判定する。指定位置が単語の位置でないとき、処理はステップＳ２１８に進む。一方、指定位置が単語の位置であるとき、処理はステップＳ２１７に進む。
【００５１】
ステップＳ２１７において、制御部１００は、記録部２００から指定された単語についての説明文を読み出し、表示装置４０にこの単語の説明文を表示させる。例えば、図１１に示すように、「ピラニア」と示された第１の単語７３４が指定されたとき、ピラニアについての説明文７３９が表示される。その後、処理はステップＳ２１８に進む。
【００５２】
ステップＳ２１８において、制御部１００は、指定位置が次の迷路の開始位置か否かを判定する。指定位置が次の迷路の開始位置であるとき、処理はステップＳ２０６に戻る。このとき、上述の処理が繰り返され、ユーザが迷路内の通路を進むように入力を行ったとき、その経路が線として迷路の画像中に表示され、迷路が解かれて指定位置が迷路の出口に達したら画像に対応する単語が表示され、この単語が指定されたら当該単語の説明文が表示される。
【００５３】
ステップＳ２１８において指定位置は次の迷路の開始位置でないと判定されたとき、処理はステップＳ２１９に進む。ここで、全ての迷路について出口まで到達した状態の表示画像の一例を図１２に示す。全ての迷路の出口まで到達しているので、第１の画像７２４の近傍には第１の単語７３４が表示され、第２の画像７２５の近傍には第２の単語７３５が表示され、第３の画像７２６の近傍には第３の単語７３６が表示されている。また、第３の画像７２６の近傍には、最終ゴールを示す表示７４０が配置されている。
【００５４】
ステップＳ２１９において、制御部１００は、指定位置は最後の迷路の出口位置近傍に表示された最終ゴールの表示７４０の位置であるか否かを判定する。指定位置が最終ゴールの表示７４０の位置でないとき、処理はステップＳ２１５に戻る。すなわち、指定位置が単語位置のときは、単語の説明文が表示されるし、次の迷路の開始位置のときには次の迷路が開始する。ステップＳ２１９において、指定位置が最終ゴールの表示７４０の位置であると判定されたとき、本処理は終了する。
【００５５】
ステップＳ２１３の判定において、次の迷路がないと判定されたとき、処理はステップＳ２２０に進む。ステップＳ２２０において、制御部１００は、ステップＳ２０４で取得されるしりとりできない単語に係る誤り画像があるか否かを判定する。誤り画像がないとき、処理はステップＳ２１５に進む。一方、誤り画像があるとき、処理はステップＳ２２１に進む。ステップＳ２２１において、制御部１００は、表示装置４０を制御して、誤り画像に「×」を表示させる。また、制御部１００は、表示装置４０に、誤り画像に対応する単語を表示させる。その後、処理はステップＳ２１５に進む。
【００５６】
誤り画像がある場合の第３の迷路７２３の近傍の表示画像の一例を図１３に示す。第３の迷路７２３には、１つの第３の開始位置７３８に対して、第１の出口７４１と第２の出口７４２とが設けられている。第１の出口７４１の近傍には第３の画像７２６が配置され、第２の出口７４２の近傍には、誤り画像７４６が配置されている。ここで、第３の開始位置７３８と第１の出口７４１とは通路でつながっているが、第３の開始位置７３８と第２の出口７４２とは通路でつながっていない。つまり、第３の迷路７２３は、単語「アメリカザリガニ」に対応づけられた第２の画像７２５と、単語「にほんざる」に対応づけられた第３の画像７２６は、一方の画像に対応づけられた単語「アメリカザリガニ」の末尾の文字「ニ」が他方の画像に対応づけられた単語「にほんざる」の先頭の文字「ニ」と同じ文字であり（カタカナとひらがなのみ異なる場合は、同じ文字と判断する）、第２の画像７２５と第３の画像７２６の間に、指定位置を離さずに前記一方の画像から前記他方の画像まで移動可能に連結する通路を有する迷路となっている。ここで迷路内の線で区切られた空白の領域が移動可能に連結する通路となっている。
【００５７】
また、第３の迷路７２３は、単語「アメリカザリガニ」に対応づけられた第２の画像７２５と、単語「あかうみがめ」に対応づけられた画像７４６は、一方の画像に対応づけられた単語「アメリカザリガニ」の末尾の文字「ニ」が他方の画像に対応づけられた単語「あかうみがめ」の先頭の文字「あ」と異なる文字であり（カタカナとひらがなのみ異なる場合は、同じ文字と判断する）、第２の画像７２５と画像７４６の間に、指定位置を離さずに前記一方の画像から前記他方の画像まで移動可能に連結する通路を有しない迷路となっている。なお迷路内の線で区切られた空白の領域が移動可能に連結する通路となっている。なお、第３の迷路７２３は、移動不可能迷路表示制御手段として機能する画像表示制御部１０２によって表示される。
【００５８】
指定位置が第３の迷路７２３の第１の出口７４１に到達したとき、第３の画像７２６の近傍には第３の単語７３６と最終ゴールを示す表示７４０とが表示され、誤り画像７４６の近傍には第４の単語７４７が表示される。さらに、誤り画像７４６には×印７４８が付される。ユーザが第３の単語７３６又は第４の単語７４７を選択したとき、選択された単語の説明が表示され、最終ゴールを示す表示７４０がタッチされたとき、本処理は終了する。
【００５９】
本実施形態によれば、第１の実施形態と同様の効果が得られる。さらに、本実施形態によれば、ユーザは、情報端末１を用いて迷路を楽しむことができる。また、ユーザは、迷路を解きながら単語を覚えることができ、さらにその単語を選択することでその単語の説明文を読むことができる。このように、情報端末１を用いれば、ユーザは、楽しみながら高い学習効果を得ることができる。
【００６０】
なお、上述の実施形態では、画像が迷路の入口と出口とに関連付けられる例を示したが、これに限らない。例えば、迷路には、入口と出口がなくてもよい。１つの大きな迷路の中の通路に、第１の画像、第２の画像及び第３の画像が配置されており、当該１つの迷路の中の通路を通って、第１の画像、第２の画像及び第３の画像を通過できるように表示画面は構成されていてもよい。この場合、１つの迷路の通路を通って画像を通過したとき、通過した画像に対応する単語が迷路の中に表示される。
【００６１】
〈第３の実施形態〉
第３の実施形態について説明する。ここでは、第１の実施形態との相違点について説明し、同一の部分については、同一の符号を付してその説明を省略する。本実施形態では、迷路の概形は、しりとりを構成する単語に応じて当該単語が表すものの概形を示す。さらに、迷路中には、当該単語を構成する文字が表示される。
【００６２】
本実施形態に係る情報端末１の動作について説明する。図１４のフローチャートは、情報端末１の動作の概要を示す。
【００６３】
ステップＳ３０１において、制御部１００は、ユーザが入力した表示画像の数、すなわち単語の数を取得する。ステップＳ３０２において、制御部１００の単語画像取得手段として機能する単語画像取得部１０１は、例えば記録部２００からステップＳ３０１で取得した数の、しりとりでつながる単語とその単語が表すものの概形を示す画像とを取得する。
【００６４】
ステップＳ３０３において、制御部１００の位置設定部１０７は、単語の数に応じて迷路を表示する位置を決定する。また、制御部１００の迷路取得部１０６は、取得した単語が表すものの概形を示す画像を利用して、迷路を作成する。制御部１００の画像表示制御手段及び文字順迷路表示制御手段として機能する画像表示制御部１０２は、作成した迷路を表示装置４０に表示させる。
【００６５】
ここで表示される画像の一例を図１５に示す。図１５に示す例は、英単語のしりとりの例であり、単語数として「３」が選択された場合の一例である。しりとりとなるように、「ＦＩＳＨ」、「ＨＯＲＳＥ」、「ＥＬＥＰＨＡＮＴ」という単語が選択されている。そして、魚の概形を有する第１の迷路８０１と、馬の概形を有する第２の迷路８０２と、象の概形を有する第３の迷路８０３とが作成され、表示されている。
【００６６】
ステップＳ３０４において、制御部１００は、最初の迷路を対象迷路として指定する。ステップＳ３０５において、制御部１００は、迷路処理を実行する。迷路処理は、対象迷路について、ユーザが迷路を解くときに行われる処理である。迷路がユーザによって解かれたとき、迷路処理は終了する。迷路処理については、後述する。迷路処理の後、処理はステップＳ３０６に進む。
【００６７】
ステップＳ３０６において、制御部１００は、次の迷路があるか否かを判定する。次の迷路があるとき、処理はステップＳ３０７に進む。ステップＳ３０７において、制御部１００は、次の迷路を対象迷路として指定する。その後、処理はステップＳ３０５に戻り、迷路処理が行われる。すなわち、しりとりでつながる次の迷路があるときは、それらの迷路に関する迷路処理が順に行われる。ステップＳ３０６において、次の迷路がないと判定されたとき、本処理は終了する。
【００６８】
次に、ステップＳ３０５で行われる迷路処理の一例を図１６に示すフローチャートを参照して説明する。
【００６９】
ステップＳ４０１において、制御部１００は、表示装置４０に、ユーザによって指定される指定位置の初期位置が対象となっている迷路の開始位置であることを示す画像を表示させる。
【００７０】
一例として、魚の概形を有する第１の迷路８０１に係る画像を図１７に示す。第１の迷路８０１は、迷路本体を示す迷路表示８１１と、迷路に係る単語を文字で示す単語表示８１２とを含む。単語表示８１２は、当該単語が含む文字数に相当する矩形を含む。第１の迷路８０１の単語は「ＦＩＳＨ」であるので、単語表示８１２は、４つの矩形を含む。このうち、１番目の矩形８２１には、１文字目の「Ｆ」が予め表示されている。また、４番目の矩形８２４には、４文字目の「Ｈ」が予め表示されている。一方で、２番目の矩形８２２と３番目の矩形８２３には、文字が表示されていない。
【００７１】
迷路表示８１１は、迷路の入口である開始位置を示す第１の矢印８３１と、迷路の出口である終了位置を示す第２の矢印８３２とを含む。また、迷路表示８１１は、迷路の開始位置の近傍に、単語の最初の文字８３４を含む。また、迷路表示８１１は、迷路の終了位置の近傍に、単語の最後の文字８３５を含む。図１７の例では、最初の文字８３４は１文字目の「Ｆ」であり、最後の文字８３５は４文字目の「Ｈ」である。
【００７２】
なお、ユーザが迷路を解く前の迷路表示８１１には、最初の文字８３４と最後の文字８３５以外の文字は表示されていないが、これらの文字を表示すべき文字位置は、迷路中の開始位置から終了位置までの経路上に予め設定されている。ここで、文字位置が指定されているのは、開始位置から終了位置までを結ぶ最短経路上である。すなわち、図１７の例では、２文字目の「Ｉ」と３文字目の「Ｓ」とを表示すべき位置は、迷路の通路中に予め定められている。なお、文字位置は、文字位置設定手段として機能する位置設定部１０７によって設定される。
【００７３】
ステップＳ４０１の処理では、開始位置として、第１の矢印８３１が指定され、例えば図１７に示すように、第１の矢印８３１の色等を変化させることで、指定位置であることをユーザに提示する。
【００７４】
ステップＳ４０２において、制御部１００の位置指定手段として機能する指定位置取得部１０４は、タッチパネル３４の出力に基づいて、ユーザの入力である指定位置を取得する。ユーザは、例えば、迷路を解くようにタッチパネル３４上でタッチ位置をスライドさせる。タッチパネル３４は、このタッチ位置を検出し、制御部１００は、このタッチ位置を指定位置として取得する。
【００７５】
ステップＳ４０３において、制御部１００は、指定位置は迷路上で移動可能な位置であるか否かを判定する。ここで迷路内の線で区切られた空白の領域が移動可能な通路の位置となっている。指定位置が移動可能位置であるとき、処理はステップＳ４０４に進む。ステップＳ４０４において、制御部１００は、迷路上での現在位置を示す指定位置表示を更新し、開始位置から現在の指定位置までを線で結ぶ画像を表示装置４０に表示させる。その後、処理はステップＳ４０６に進む。
【００７６】
ステップＳ４０３において、指定位置は移動可能位置でないと判定されたとき、処理はステップＳ４０５に進む。ステップＳ４０５において、制御部１００は、指定位置表示を更新せずに維持する画像を表示装置４０に表示させる。その後、処理はステップＳ４０６に進む。
【００７７】
ステップＳ４０６において、制御部１００の文字位置判断手段として機能する判定部１０５は、指定位置は予め設定された文字を表示すべき文字位置であるか否かを判定する。すなわち、図１７の例では、指定位置が「Ｉ」又は「Ｓ」を示す位置であるか否かを判定する。指定位置が文字位置でないとき、処理はステップＳ４０８に進む。一方、指定位置が文字位置であるとき、処理はステップＳ４０７に進む。ここで、指定位置が文字位置であるかの判定は、指定位置が文字位置の中心から所定の距離の範囲内に入ったか否かの判定など、指定位置が所定の条件を満たしたか否かの判定として行われる。
【００７８】
ステップＳ４０７において、制御部１００の文字表示制御手段として機能する文字表示制御部１０３は、表示装置４０に、迷路表示８１１と単語表示８１２とに指定位置に対応する文字を表示させる。その後、処理はステップＳ４０８に進む。ユーザがタッチパネルへのタッチ操作により、迷路内の位置を移動させているときに表示装置４０の表示画面中に表示される画像の一例を図１８に示す。この図に示すように、迷路表示８１１内においてユーザによって入力された指定位置の移動経路は、線８４１として示されている。そして、迷路の通路中に予め設定された「Ｉ」の文字が表示されるべき文字位置を指定位置が通ったとき、「Ｉ」という文字８３６が表示される。これと同時に、単語表示８１２中の２番目の矩形８２２内にも、「Ｉ」という文字が表示される。なお、ここで表示される迷路表示８１１内の文字８３６の色は、予め表示されている最初の文字８３４及び最後の文字８３５の表示色と異なっていてもよい。同様に、単語表示８１２内の２番目の矩形８２２の色は、予め文字が表示されている１番目の矩形８２１及び４番目の矩形８２４の色と異なっていてもよい。
【００７９】
ステップＳ４０８において、制御部１００は、制限時間が経過したか否かを判定する。制限時間が経過していないとき、処理はステップＳ４１０に進む。一方、制限時間が経過したとき、処理はステップＳ４０９に進む。
【００８０】
ステップＳ４０９において、制御部１００は、表示装置４０に、迷路表示８１１内にヒントを表示させる。その後、処理はステップＳ４１０に進む。例えば、図１８に示すように、ユーザが入力する経路が「Ｉ」という２番目の文字８３６の位置を通過しているが、「Ｓ」という３番目の文字の位置には到達していないとき、「Ｓ」という文字を表示すべき位置に、矩形８３７が表示される。この矩形８３７の色は、例えば他の文字の表示色と異なるものであってもよい。また、矩形８３７と対応する単語表示８１２中の３番目の矩形８２３の色は、迷路表示８１１中のヒントを表す矩形８３７と同一の色としてもよい。
【００８１】
ユーザの指定位置が迷路表示８１１中の矩形８３７を通過したとき、矩形８３７には、３番目の「Ｓ」という文字が表示され、単語表示８１２中の３番目の矩形８２３内にも「Ｓ」という文字が表示されることになる。
【００８２】
ステップＳ４１０において、制御部１００は、指定位置は迷路の終了位置か否か、すなわち、迷路の出口の位置か否かを判定する。終了位置でないとき、処理はステップＳ４０２に戻る。すなわち、ユーザが指定する指定位置が出口に達するまで、上述の処理を繰り返す。一方、指定位置は終了位置であると判定されたとき、迷路処理は終了し、処理は図１４を参照して説明しているメインフローに戻る。このように、指定位置が迷路の開始位置から終了位置まで移動したとき、単語表示８１２に単語が表示されることになる。
【００８３】
以上のように、情報端末１による迷路処理の動作で、ユーザは、迷路を解きながら表示される文字を見て、迷路が概形を表している単語を綴りと共に覚えることができる。このような迷路がしりとりの態様で複数提供される。
【００８４】
第２の迷路８０２の一例を図１９に示す。この例では、単語は「ＨＯＲＳＥ」であり、馬の概形を有する迷路が表示される。図１９に示すように、第２の迷路８０２は、迷路表示８５１と単語表示８５２とを含む。単語が「ＨＯＲＳＥ」であるので、単語表示８５２は、５つの文字に対応する５つの矩形を含む。第２の迷路８０２が表示される最初の状態で、最初の文字に対応する第１の矩形８６１には「Ｈ」の文字が表示され、最後の文字に対応する第５の矩形８６５には「Ｅ」の文字が表示される。また、迷路表示８５１は、開始位置を示す第１の矢印８５５と、終了位置を示す第２の矢印８５６とを含む。さらに、迷路表示８５１には、「Ｈ」という最初の文字８５７が開始位置近傍に表示され、「Ｅ」という最後の文字８５８が終了位置の近傍に表示される。
【００８５】
また、「ＨＯＲＳＥ」の３文字目の「Ｒ」は、比較的綴りを誤りやすい特定文字である。そこで、図１９に示すように、単語表示８５２の第３の矩形８６３は、第２の矩形８６２及び第４の矩形８６４と異なる色で表示される。さらに、単語表示８５２の第３の矩形８６３と同色の矩形８５９を「Ｒ」のために迷路表示８５１に予め表示しておく。このとき、この矩形８５９は、図１９に示すように、開始位置から終了位置までを結ぶ最短経路から離れた位置に配置されてもよい。すなわち、ユーザは、遠回りしてこの矩形８５９を通過することで、「Ｒ」の文字をこの矩形８５９内や、単語表示８５２の第３の矩形８６３内に表示させる。このように、遠回りすること、及び矩形の色が他の矩形の色と異なること等から、比較的綴りを誤りやすい「Ｒ」の文字をユーザに印象付けることができる。なお、特定文字の位置は、特定文字位置設定手段として機能する位置設定部１０７によって設定される。
【００８６】
第３の迷路８０３の一例を図２０に示す。第３の迷路は、「ＥＬＥＰＨＡＮＴ」という単語を示し、その迷路表示８７１は、象の概形を有する。第３の迷路８０３も単語表示８７２を含むなど、その構成要素は第１の迷路８０１及び第２の迷路８０２と同様である。「ＥＬＥＰＨＡＮＴ」という単語は文字数が多い。情報端末１は、例えばユーザが前の迷路を制限時間内に解くことができたか否かに応じて次の迷路を変更するように構成されていてもよい。例えば、ユーザが第２の迷路８０２を制限時間内に解くことができたときは、文字数が多い第３の迷路８０３が表示される。一方、ユーザが第２の迷路８０２を制限時間内に解くことができなかったときは、情報端末１は、第２の迷路８０２の終了時に、第３の迷路８０３を図２１に示すような文字数が少ない第４の迷路８０４に差し替える。図２１に示す迷路は、「ＥＧＧ」という単語を示す迷路であり、迷路表示８８１は卵の概形を有する。また、第４の迷路８０４の単語表示８８２は、「ＥＧＧ」に対応した３つの矩形を有する。このように、迷路を解く時間に応じて次の迷路が変更されることで、ユーザの集中力が高まることが促される。
【００８７】
本実施形態によっても、第１の実施形態や第２の実施形態と同様の効果が得られる。さらに、本実施形態によれば、迷路が解かれるにつれて単語を構成する文字が順次に表示されるので、ユーザは、単語の綴りを効果的に学ぶことができる。
【００８８】
本実施形態では、情報端末１がしりとりの態様で複数の迷路を提供する場合を例に示したが、提供される迷路の数は１つであってもよい。また、提供される迷路は、しりとりの態様ではなく、すなわち、前の迷路の単語の最後の文字と次の迷路の最初の文字とが同一の文字ではなく、ランダムに選択された単語に係る複数の迷路が次々と提供されてもよい。
【００８９】
各迷路では、最初の文字と最後の文字とが予め表示されている例を示したが、これに限らないことはもちろんである。例えば、最初の文字と最後の文字も、ユーザが指定する指定位置が通過したときに現れるように迷路が構成されていてもよいし、他の文字が予め表示されていてもよい。
【００９０】
また、上述の例では、単語を構成する文字の文字位置が設定されており、当該文字位置を指定位置が通過するときに文字が表示される例を示した。しかしながらこれに限らない。例えば、迷路が解かれたとき、すなわち、指定位置が開始位置から終了位置まで移動したとき、単語全体が同時に表示されるように表示画面は構成されていてもよい。
【００９１】
また、迷路の概形が、当該単語が表すものである場合の例を示したが、これに限らない。迷路の概形は、例えば図９に示すような四角形等であってもよい。
【００９２】
また、迷路の通路に文字がある場合を示したが、迷路に限らない。画像は、単語が表すものの概形のみであって迷路を含まなくてもよい。この概形の中に文字を表示すべき文字位置が不規則にあるいは規則的に配置されていてもよい。この場合、表示画面は、ユーザが、例えば文字位置を手探りで探索することを楽しむように構成されていてもよいし、情報端末１から出力される音を頼りに文字位置を探索することを楽しむように構成されていてもよいし、その他のゲームと組み合わせて文字位置を探索することを楽しむように構成されていてもよい。
【００９３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。さらに、異なる実施形態にわたる構成要素を適宜組み合わせてもよい。
【００９４】
例えば、第１の実施形態及び第３の実施形態においても、第２の実施形態と同様に、表示された単語がタッチされたときに当該単語の説明文が表示されてもよい。また、第１の実施形態においても、第２の実施形態と同様に、しりとりが成り立たない誤り画像が含まれてもよい。また、第２の実施形態においても、前の迷路を解くのにかかった時間に応じて画像が変更されてもよい。
【００９５】
以下に、本願出願の当初の特許請求の範囲に記載された発明を付記する。
［１］
いずれかの単語の末尾の文字が他のいずれかの単語の先頭の文字と同じ文字である各単語と、前記各単語に対応する各画像とを取得する単語画像取得手段と、
表示画面中に複数の前記画像を表示させる画像表示制御手段と、
ユーザ操作に応じて、前記表示画面中の何れかの画像を指定する画像指定手段と、
前記表示された複数の画像のうちの２つの画像が、前記画像指定手段により指定されると、当該指定された２つの画像に対応づけられた各単語の一方の単語の末尾の文字が他方の単語の先頭の文字と同じ文字であるか否かを判断する画像単語判断手段と、
を備える画像表示制御装置。
［２］
前記画像単語判断手段により、前記指定された２つの画像に対応づけられた各単語の一方の単語の末尾の文字が他方の単語の先頭の文字と同じ文字であると判断された場合に、
前記２つの画像に対応づけられた各単語の何れか又は両方を表示させる画像単語表示制御手段を備える、
［１］に記載の画像表示制御装置。
［３］
前記画像単語判断手段により、前記指定された２つの画像に対応づけられた各単語の一方の単語の末尾の文字が他方の単語の先頭の文字と同じ文字であると判断された場合に、
前記２つの画像を識別表示させる画像識別表示手段を備える、
［１］又は［２］に記載の画像表示制御装置。
［４］
前記画像表示制御手段は、前記複数の画像のうち、一方の画像に対応づけられた単語の末尾の文字が他方の画像に対応づけられた単語の先頭の文字と同じ文字である、２つの画像の間に、指定位置を離さずに前記一方の画像から前記他方の画像まで移動可能に連結する通路を有する迷路を表示する移動可能迷路表示制御手段を備え、
ユーザ操作に応じて、前記画像指定手段により指定位置を離さずに、当該迷路の前記２つの画像の間を連結する通路を移動することにより前記表示された複数の画像のうちの２つの画像が指定される、
［３］に記載の画像表示制御装置。
［５］
前記画像表示制御手段は、前記複数の画像のうちの２つの画像に対応づけられた各単語が、一方の単語の末尾の文字が他方の単語の先頭の文字と同じ文字とならない場合に、当該２つの画像の間に、指定位置を離さずに前記一方の画像から前記他方の画像まで移動可能に連結する通路を有しない迷路を表示する移動不可能迷路表示制御手段を備える、
［３］又は［４］に記載の画像表示制御装置。
［６］
単語と画像とを取得する単語画像取得手段と、
表示画面中に前記画像を表示させる画像表示制御手段と、
前記画像中の各位置に、前記単語の各文字位置を設定する文字位置設定手段と、
ユーザ操作に応じて、前記画像中の位置を指定する位置指定手段と、
前記位置指定手段により前記画像中の位置が指定されると、当該指定された位置が、前記文字位置設定手段により設定されたいずれかの文字位置であるか否かを判断する文字位置判断手段と、
前記文字位置判断手段により、前記指定された位置が前記いずれかの文字位置であると判断された場合に、当該文字位置に対応する文字を表示させる文字表示制御手段と、
を備える画像表示制御装置。
［７］
前記画像表示制御手段は、前記画像中に、指定位置を離さずに前記単語の文字の並び順に各文字の文字位置に移動可能な通路を有する迷路を表示する文字順迷路表示制御手段を備え、
前記文字位置判断手段は、ユーザ操作に応じて前記位置指定手段により指定位置を離さずに、当該迷路の通路を移動することに応じて、前記いずれかの文字位置であるか否かを判断する、
［６］に記載の画像表示制御装置。
［８］
前記文字位置設定手段は、前記単語のうちの特定文字に対応する文字位置を、前記通路の位置のうち最短の経路とは異なる位置に設定する特定文字位置設定手段を備える、
［７］に記載の画像表示制御装置。
［９］
前記表示画面を備える表示手段を備える、
［１］乃至［８］のうち何れか一に記載の画像表示制御装置。
［１０］
いずれかの単語の末尾の文字が他のいずれかの単語の先頭の文字と同じ文字である各単語と、前記各単語に対応する各画像とを取得し、
表示画面中に複数の前記画像を表示させ、
ユーザ操作に応じて、前記表示画面中の何れかの画像を指定し、
前記表示された複数の画像のうちの２つの画像が指定されると、当該指定された２つの画像に対応づけられた各単語の一方の単語の末尾の文字が他方の単語の先頭の文字と同じ文字であるか否かを判断する、
画像表示方法。
［１１］
コンピュータを、
いずれかの単語の末尾の文字が他のいずれかの単語の先頭の文字と同じ文字である各単語と、前記各単語に対応する各画像とを取得する単語画像取得手段、
表示画面中に複数の前記画像を表示させる画像表示制御手段、
ユーザ操作に応じて、前記表示画面中の何れかの画像を指定する画像指定手段、
前記表示された複数の画像のうちの２つの画像が、前記画像指定手段により指定されると、当該指定された２つの画像に対応づけられた各単語の一方の単語の末尾の文字が他方の単語の先頭の文字と同じ文字であるか否かを判断する画像単語判断手段、
として機能させるためのコンピュータ読み込み可能なプログラム。
［１２］
単語と画像とを取得し、
表示画面中に前記画像を表示させ、
前記画像中の各位置に、前記単語の各文字位置を設定し、
ユーザ操作に応じて、前記画像中の位置を指定し、
前記画像中の位置が指定されると、当該指定された位置が、前記設定されたいずれかの文字位置であるか否かを判断し、
前記指定された位置が前記いずれかの文字位置であると判断された場合に、当該文字位置に対応する文字を表示させる、
画像表示方法。
［１３］
コンピュータを、
単語と画像とを取得する単語画像取得手段、
表示画面中に前記画像を表示させる画像表示制御手段、
前記画像中の各位置に、前記単語の各文字位置を設定する文字位置設定手段、
ユーザ操作に応じて、前記画像中の位置を指定する位置指定手段、
前記位置指定手段により前記画像中の位置が指定されると、当該指定された位置が、前記文字位置設定手段により設定されたいずれかの文字位置であるか否かを判断する文字位置判断手段、
前記文字位置判断手段により、前記指定された位置が前記いずれかの文字位置であると判断された場合に、当該文字位置に対応する文字を表示させる文字表示制御手段と、
として機能させるためのコンピュータ読み込み可能なプログラム。
【符号の説明】
【００９６】
１…情報端末、３０…入力装置、３２…入力ボタン、３４…タッチパネル、４０…表示装置、５２…記録媒体インターフェース（Ｉ／Ｆ）、５４…通信装置、６０…バスライン、７０…記録媒体、１００…制御部、１０１…単語画像取得部、１０２…画像表示制御部、１０３…文字表示制御部、１０４…指定位置取得部、１０５…判定部、１０６…迷路取得部、１０７…位置設定部、２００…記録部。
【図１】
2018049186.tif 000003
【図２】
2018049186.tif 000004
【図３】
2018049186.tif 000005
【図４】
2018049186.tif 000006
【図５】
2018049186.tif 000007
【図６】
2018049186.tif 000008
【図７Ａ】
2018049186.tif 000009
【図７Ｂ】
2018049186.tif 000010
【図８】
2018049186.tif 000011
【図９】
2018049186.tif 000012
【図１０】
2018049186.tif 000013
【図１１】
2018049186.tif 000014
【図１２】
2018049186.tif 000015
【図１３】
2018049186.tif 000016
【図１４】
2018049186.tif 000017
【図１５】
2018049186.tif 000018
【図１６】
2018049186.tif 000019
【図１７】
2018049186.tif 000020
【図１８】
2018049186.tif 000021
【図１９】
2018049186.tif 000022
【図２０】
2018049186.tif 000023
【図２１】
2018049186.tif 000024